(57)【要約】      （修正有）【課題】外部等からの視線の遮蔽、直射日光の遮光、紫外線の吸収や、結露防止を簡便に行うとともに、和紙によるガラスとは異なる装飾性を施すことを可能としたガラス貼付け用紙を提供する。【解決手段】合成樹脂細線を用いて作製した網状体１２をパルプを主原料とする表抄造紙１３、裏抄造紙１４間に挟んで、接着剤を用いて一体化したものである。該一体化された抄造紙には無数の空隙からなる低密度の部分（透かし）Ｓが施され、これを所望の落水模様とすることができる。【選択図】図１
0003220128.tif 000002
【実用新案登録請求の範囲】
【請求項１】
合成樹脂細線を用いて作製した網状体をパルプを主原料とする表抄造紙、裏抄造紙間に挟んで一体化するとともに、該一体化された抄造紙には無数の空隙が形成されていることを特徴とするガラス貼付け用紙。
【請求項２】
合成樹脂細線を用いて作製した網状体をパルプを主原料とする表抄造紙、裏抄造紙間に挟んで一体化され、かつ一体化された抄造紙に対して未乾燥の状態において落水加工が施されて、無数の空隙を有する落水模様が形成されていることを特徴とする請求項１に記載のガラス貼付け用紙。
【請求項３】
前記合成樹脂細線を用いて作製した網状体が、ポリプロピレン、高密度ポリエチレンを含むポリオレフィン系樹脂製の伸縮性の小さい細線を用いて作製した網状体であることを特徴とする１または２に記載のガラス貼付け用紙。
【請求項４】
前記ガラス貼付け用紙が、坪量１００ｇ／ｍ2未満であることを特徴とする請求項１ないし３のいずれかに記載のガラス貼付け用紙。
【請求項５】
前記ガラス貼付け用紙が、非常に細密に落水密度を変えることが可能なシャワーノズルで落水加工されたものであることを特徴とする請求項１ないし４のいずれかに記載のガラス貼付け用紙。
【請求項６】
前記ガラス貼付け用紙が、水を含ませることによってガラスに貼付することを可能としたことを特徴とする請求項１または５のいずれかに記載のガラス貼付け用紙。
【考案の詳細な説明】
【技術分野】
【０００１】
本考案は、窓ガラスやドアガラスその他のガラスに接着・剥離可能に貼付することによって、外部等からの視線の遮蔽、直射日光の遮光、紫外線の吸収や、結露防止を簡便に行うとともに、和紙によるガラスとは異なる装飾性を施すためのガラス貼付け用紙に関するものである。
【背景技術】
【０００２】
例えば特開２００１−２００４９６号公報には、透水性を有する和紙に含浸された水溶性接着剤を乾燥させてなるガラス貼付け用紙を、予め水が適度に付着したガラスの表面にあてがって仮固定した状態で、このガラス貼付け用紙の面上から十分な水を付与して水溶性接着剤を溶解させて、このガラス貼付け用紙をガラスに貼り付けるガラス貼付け用紙が提案されている。
【０００３】
また、実用新案登録第３１６４１９２号公報には、吸水性を有する和紙又は不織布からなる表面シートと、表面シートの裏面に貼合された支持フィルム層と、支持フィルム層に塗布された粘着剤層と、粘着剤層に剥離可能に接着された剥離シートからなり、粘着剤層によってガラス面に接着可能なガラス粘着シートが提案されている。
【先行技術文献】
【特許文献】
【０００４】
【特許文献１】特開２００１−２００４９６号公報
【特許文献２】実用新案登録第３１６４１９２号公報
【考案の概要】
【考案が解決しようとする課題】
【０００５】
しかしながら、特許文献１および特許文献２に示すガラス貼付け用紙やガラス粘着シートは、貼付のために水溶性接着剤や粘着剤を使用しているため、窓ガラス等への貼付け時にしわや気泡が生じやすく、貼付け作業に手間がかかるという問題があった。
同様に貼替作業時にガラス貼付け用紙やガラス粘着シートが破損するおそれがあって耐久性に欠けるという実情があった。
【０００６】
そこで、出願人はこれらの課題を解決し、外部等からの視線の遮蔽、直射日光の遮光、紫外線の吸収や、結露防止を簡便に行うとともに、和紙によるガラスとは異なる装飾性を施すことを可能としたガラス貼付け用紙を提供することを目的とする。
【課題を解決するための手段】
【０００７】
すなわち、本考案のガラス貼付け用紙は、合成樹脂細線を用いて作製した網状体をパルプを主原料とする表抄造紙、裏抄造紙間に挟んで一体化するとともに、該一体化された抄造紙には無数の空隙が形成されていることを特徴とするものである。
【０００８】
本考案のガラス貼付け用紙は、合成樹脂細線を用いて作製した網状体をパルプを主原料とする表抄造紙、裏抄造紙間に挟んで一体化され、かつ一体化された抄造紙に対して未乾燥の状態において落水加工が施されて、無数の空隙を有する落水模様が形成されていることをも特徴とするものである。
【０００９】
本考案のガラス貼付け用紙において、前記合成樹脂細線を用いて作製した網状体は、ポリプロピレン、高密度ポリエチレンを含むポリオレフィン系樹脂製の伸縮性の小さい細線を用いて作製した網状体であることをも特徴とするものである。
【００１０】
本考案のガラス貼付け用紙において、前記ガラス貼付け用紙は、坪量１００ｇ／ｍ2未満であることをも特徴とするものである。
【００１１】
本考案のガラス貼付け用紙において、前記ガラス貼付け用紙は、非常に細密に落水密度を変えることが可能なシャワーノズルで落水加工されたものであることをも特徴とするものである。
【００１２】
本考案のガラス貼付け用紙において、前記ガラス貼付け用紙が、水を含ませることによってガラスに貼付することを可能としたことをも特徴とするものである。
【考案の効果】
【００１３】
本考案によれば、外部等からの視線の遮蔽、直射日光の遮光、紫外線の吸収や、結露防止を簡便に行うとともに、和紙によるガラスとは異なる装飾性を施すことができるガラス貼付け用紙を提供することが可能で、結露の防止や紫外線をカットすることもできる。
さらに、和紙に模様を付すことによって、ガラスの持つ冷たさを緩和することのできる柔らかな装飾を施すことができ、しかもその装飾を通して光を透過させることができる。
【００１４】
また本考案のガラス貼付け用紙は、合成樹脂細線を用いて作製した網状体を介してガラス面に接着するため伸びが少なく、したがって貼り付けた際にガラス貼付け用紙に張力やストレスがかかっていないために反りや剥がれが生じるという心配がない。
しかも、水分を含ませて貼付けたり、水分を含ませて引きはがしたりする際に無理がかからず、したがって再使用や別の場所への移動も可能である。
【図面の簡単な説明】
【００１５】
【図１】本考案に係るガラス貼付け用紙を示す部分斜視図である。
【図２】その部分拡大図である。
【図３】その拡大断面図である。
【図４】（ａ）は融着した網状体、（ｂ）は接着した網状体を示す部分拡大断面図である。
【図５】落水加工を施されたガラス貼付け用紙を窓ガラスに貼付した状態を示す部分斜視図である。
【図６】窓ガラスに貼付可能なガラス貼付け用紙の写真である。
【図７】窓ガラスに貼付可能なレース状のガラス貼付け用紙の写真である。
【考案を実施するための形態】
【００１６】
以下、本考案の実施の形態を図面に基いて説明する。
図１〜３において本考案に係るガラス貼付け用紙１１は、網状体１２を表抄造紙１３と裏抄造紙１４との間に挟み、かつ接着剤１５を用いて全体を一体化したものである。
前記表抄造紙１３及び裏抄造紙１４は、従来の抄造紙と同様にパルプを主原料として製造されている。
【００１７】
また、前記網状体１２は合成樹脂細線を用いて作製されており、例えばポリプロピレン、高密度ポリエチレンを含むポリオレフィン系樹脂製の伸縮性の小さい細線（ワイヤ）を用いて作製した網状体であることが望ましい。なお、本考案において前記網状体１２を構成する合成樹脂細線としては、ポリオレフィン系樹脂製の細線に限られるものではなく、前記表抄造紙１３及び裏抄造紙１４とのなじみに問題がなければ伸縮性の小さいその他の合成樹脂細線であってもよい。
図４（ａ）に示すように、このポリオレフィン系樹脂製の細線（ワイヤ）は熱融着による加工が容易で加工性や強度に優れており、また前記表抄造紙１３及び裏抄造紙１４とのなじみも何ら問題がない。
もちろん、前記ポリオレフィン系樹脂製の細線（ワイヤ）を用いて作製した網状体１２は、その結線部分を融着によってかさばることなく連結することができるが、その太さによっては図４（ｂ）に示すような接着剤によって接着した場合でも、同様の効果を得ることができる。
【００１８】
前記ポリオレフィン系樹脂製の細線（ワイヤ）の太さとしては、縦横で同じ太さであっても、また５０〜６５番手のものと１６〜６０番手のものを組み合わせて用いてもよい。さらに、縦の細線（ワイヤ）を一定としておき、横の細線（ワイヤ）として太さがランダムに変化するものを使用した網状体や、必要に応じて着色された網状体を用いることにより網状体１２に種々の柄を付与することができる。
【００１９】
本実施例のガラス貼付け用紙１１は、前述のように一体化された抄造紙に対し、未乾燥の状態（グリーンシート）において無数の空隙からなる低密度の部分（透かし）Ｓが施されている。それを図５に示す。
得たガラス貼付け用紙１１には無数の空隙からなる低密度の部分（透かし）Ｓが施され、これを望ましくは所望の落水模様とすることができる。すなわち、前記網状体１２をはさんで表裏の抄造紙１３，１４には落水処理の施されていない高密度の部分と、落水処理の施された低密度の部分（透かし）Ｓが存在し、これらがいわゆる落水模様となって表出しているのである。
【００２０】
本考案のガラス貼付け用紙１１においては、その密度を坪量１００ｇ／ｍ2未満とすることが望ましい。そうすることによって窓ガラス等における外部等からの視線の遮蔽、直射日光の遮光、紫外線の吸収や、結露防止を確実に行うとともに、和紙によるガラスとは異なる装飾性を施すことができる。
さらに、前記坪量１００ｇ／ｍ2未満の和紙に模様を付すことによって、ガラスの持つ冷たさを緩和することのできる柔らかな装飾を施すことができ、しかもその装飾を通して窓ガラスから光を透過させることができる。
【００２１】
ちなみに、本考案のガラス貼付け用紙１１の製造に際しては、前記網状体１２をはさんで表裏の抄造紙１３，１４を一体化された一体化物が未乾燥の状態（グリーンシート）において落水加工を施している。
すなわち、前記網状体１２をはさんで表裏の抄造紙１３，１４を一体化した一体化物をフェルト上に搭載した上で、シャワーノズルから落水が施されるのである。
前記シャワーノズルとしては非常に細密に落水密度を変えることが可能なシャワーノズルを利用することが望ましく、そうすることによって多様で繊細な模様を表現した落水型のガラス貼付け用紙１１を提供することができる。
ちなみに、細密に落水密度を変えることが可能なシャワーノズルとしては、特開２００９−４２３９５号公報において提案されているような、ウォーターディスプレイ等に利用されている多数のシャワーノズルの連を一列に並べて細密に落水密度を変えることを可能とした、市販のシャワーノズルを利用することができる。
【００２２】
図５に示すように、本考案のガラス貼付け用紙１１は、水を含ませることによってガラスに貼付することが可能となっている。
すなわち、水を含ませることによってガラス貼付け用紙１１を構成するほぼ平滑な裏抄造紙１４のパルプ繊維がばらけ、ガラス２１の表面に存在する凹凸内に食い込むような状態となってガラス２１表面との密着力が発揮されるのではないかと考察される。
その際、無数の空隙からなる低密度の部分（透かし）Ｓが存在することによって、貼付すべきガラス２１とガラス貼付け用紙１１との間に生じやすいしわや気泡が低密度の部分（透かし）Ｓで吸収されて存在しなくなり、ガラス貼付け用紙１１を非常に見栄え良くガラスに貼付することができるのである。
【００２３】
図６は窓ガラスに貼付可能なやや高密度のガラス貼付け用紙の写真、また図７は窓ガラスに貼付可能なレース状のやや低密度のガラス貼付け用紙の写真である。
【産業上の利用可能性】
【００２４】
本考案のガラス貼付け用紙は以上のように構成されているので、窓ガラスやドアガラスその他のガラスに好適に貼付することができ、しかも非常に装飾性に富んだガラスへの貼付構造を得ることができる。
【符号の説明】
【００２５】
１１  ガラス貼付け用紙
１２  網状体
１３  表抄造紙
１４  裏抄造紙
１５  接着剤
２１  ガラス
Ｓ  低密度の部分（透かし）
【図１】
0003220128.tif 000003
【図２】
0003220128.tif 000004
【図３】
0003220128.tif 000005
【図４】
0003220128.tif 000006
【図５】
0003220128.tif 000007
【図６】
0003220128.tif 000008
【図７】
0003220128.tif 000009